(57)【要約】【課題】      ガイド軸のガタ発生を抑制して異音の発生を防止し、更に、ガイド軸のメンテナンス性を向上させた魚釣用スピニングリ−ルを提供することである。【解決手段】  スプ−ル軸１８の後端にオシレ−ト機構の摺動体５がビス１９で取り付けられ、摺動体５の下側にはトラバ−スカム軸２０の溝に係合する係合子２１が収納され、トラバ−スカム軸２０の先端には歯車２３が固定されて歯車２３はピニオン３ａに噛合されている。  摺動体５の下端にガイド軸２４が挿通される横溝５ｂが形成されている。  ガイド軸２４は先端が筐体１の前部１ｃ内の凹部１ｉに挿入され、後側は筐体１の後部１ｆの透孔１ｊに挿入されて後端２４ａはカバ−部材７の内側に形成された可撓性を有する舌片状の係止部７ａに当接されている。【選択図】        図２
2007252324.tif 000002
【特許請求の範囲】
【請求項１】
ハンドルの回転をスプ−ル軸の前後動に変換する該スプ−ル軸の後部に連結した摺動体をリ−ル本体に取り付けたガイド軸で摺動案内可能とした魚釣用スピニングリ−ルにおいて、前記ガイド軸の端部をリ−ル本体に取り付けられるカバ−部材の内側に一体形成された可撓性を有する係止部によって前記リ−ル本体に支持したことを特徴とする魚釣用スピニングリ−ル。
【発明の詳細な説明】
【技術分野】
【０００１】
本発明は、リ−ル本体に装着したハンドルの回転操作運動をスプ−ルの前後往復動に変換するオシレ−ト機構を備えた魚釣用スピニングリ−ルの改良に関する。
【背景技術】
【０００２】
一般に、魚釣用スピニングリ−ルのリ−ル本体内には、ハンドルの回転操作運動をスプ−ルの前後往復動に変換するオシレ−ト機構が設けられている。
このオシレ−ト機構がハンドルの回転操作運動で前後動する摺動体を介して、先端にスプ−ルを設けたスプ−ル軸を前後方向に往復動させる間、ハンドルに連動回転するロ−タの釣糸案内部を介してスプ−ルに釣糸が巻回される。
このようなオシレ−ト機構には、トラバ−スカム軸を用いるもの（例えば特許文献１）と、減速ギヤを用いるもの（例えば特許文献２）が知られている。
いずれのオシレ−ト機構もハンドルからの動力をスプ−ル軸に伝達する摺動体がスプ−ル軸に一体的に連結され、ガイド軸により前後方向に沿って直線状に案内される。
このように摺動体を案内するガイド軸は、トラバ−スカム軸と平行になるようにリ−ル本体に挿入され、リ−ル本体にネジ止めされる係止部材により抜け落ちを阻止されている。
また、減速ギヤを用いるものでは、ガイド軸の外周面に形成した環状溝にＣ型やＥ型の係止部材を装着し、この係止部材をリ−ル本体の隔壁に係止させることでガイド軸が抜け止めされている。
ところで、このような魚釣用スピニングリ−ルは、ガイド軸をメンテナンスする場合、或はガイド軸を交換する場合に、リ−ル本体にネジ止め固定されているカバ−等の部材を取り外した後、係止部材を取り外してガイド軸をリ−ル本体から取り出す必要がある。
このため、係止部材を紛失し、或は破損してしまう恐れがあることに加え、部品点数が多く、取り付けおよび取り外しに極めて面倒な作業を必要とする問題がある。
さらに、リ−ル本体とガイド軸の寸法精度のバラツキによってガイド軸にガタが発生するとオシレ−ト機構が作動中に異音が発生する。
ガイド軸のガタをなくすために、ガイド軸をリ−ル本体に圧入やネジ止めで固定するとガイド軸のメンテナンス性が悪くなるという問題がある。
【特許文献１】実開平５−３４８６１号公報
【特許文献２】特開２００４−８１０７７号公報
【発明の開示】
【発明が解決しようとする課題】
【０００３】
解決しようとする問題点は、特許文献１、特許文献２に開示されているガイド軸の支持構造では部品の寸法公差や組み付け精度によってガタが発生し、釣糸巻き取り中に異音が発生したり、ガイド軸のメンテナンス性が悪くなるという問題がある。
【０００４】
本発明の目的は前記欠点に鑑み、ガイド軸のガタ発生を抑制して異音の発生を防止し、更に、ガイド軸のメンテナンス性を向上させた魚釣用スピニングリ−ルを提供することである。
【課題を解決するための手段】
【０００５】
本発明の請求項１は、ハンドルの回転をスプ−ル軸の前後動に変換する該スプ−ル軸の後部に連結した摺動体をリ−ル本体に取り付けたガイド軸で摺動案内可能とした魚釣用スピニングリ−ルにおいて、前記ガイド軸の端部をリ−ル本体に取り付けられるカバ−部材の内側に一体形成された可撓性を有する係止部によって前記リ−ル本体に支持したことを要旨とするものである。
【発明の効果】
【０００６】
本発明の請求項１によれば、ガイド軸の端部をリ−ル本体に取り付けられるカバ−部材の内側に一体形成された可撓性を有する係止部によってリ−ル本体に支持したので、ガイド軸をリ−ル本体に固定するための専用の部材を設ける必要がなく、部品点数および組み立て工程の減少により製造コストが低減されると共に、魚釣用スピニングリ−ルが軽量化され、更に、ガイド軸のメンテナンス作業を容易に行うことができる。
また、ガイド軸の端部をカバ−部材の内側に一体形成された可撓性を有する係止部によってリ−ル本体に支持したので、リ−ル本体とガイド軸の寸法精度のバラツキによって発生するガイド軸の組み付けガタが抑制されてオシレ−ト機構の異音発生を防止することができる。
【発明を実施するための最良の形態】
【０００７】
スプ−ル軸１８の後端にオシレ−ト機構の摺動体５がビス１９で取り付けられている。
摺動体５の下側には、トラバ−スカム軸２０と直交する位置に透孔５ａが形成され、透孔５ａ内にトラバ−スカム軸２０の溝に係合する係合子２１が収納されてカバ−２２で覆われている。
摺動体５の下端にガイド軸２４が挿通される横溝５ｂが形成されている。
トラバ−スカム軸２０の先端には歯車２３が固定され、歯車２３はピニオン３ａに噛合されている。
トラバ−スカム軸２０は先端が筐体１の前部１ｃ内の凹部１ｅに挿入され、後側には周溝２０ａと小径部２０ｂが形成され、周溝２０ａ部分は筐体１の後部１ｆの凹部１ｇに、小径部２０ｂは筐体１の透孔１ｈに挿入される。
周溝２０ａには内径が周溝２０ａの外周に嵌まる寸法で外径が凹部１ｇの内径に嵌まる寸法の係止部材６の一側部６ａが嵌合され、小径部２０ｂの端面には係止部材６の他側面６ｂが当接されて係止部材６で小径部２０ｂの軸方向と筐体１の後部１ｆを挟み込むように当接されている。
ガイド軸２４は先端が筐体１の前部１ｃ内の凹部１ｉに挿入され、後側は筐体１の後部１ｆの透孔１ｊに挿入されて後端２４ａはカバ−部材７の内側に形成された可撓性を有する舌片状の係止部７ａに当接されている。
【実施例１】
【０００８】
以下、図示の実施例によって本発明を説明すると、図１から図４は第１実施例で、図１は魚釣用スピニングリ−ルの筐体を断面にした要部断面側面図、図２は図１の要部拡大断面側面図、図３は図２の要部拡大断面側面図とその一部拡大断面側面図、図４はカバ−部材の（ａ）内側正面図で（ｂ）一部断面側面図である。
【０００９】
魚釣用スピニングリ−ルは、リ−ル本体Ａは箱形の筐体１と図示しない蓋体で構成され、筐体１の開口部１ａが図示しない蓋体で閉塞されている。
筐体１の上部には脚部１ｂが形成されている。
筐体１と図示しない蓋体で保持された図示しない軸受で駆動歯車２の駆動軸２ａが軸承されてハンドル１０で駆動回転される。
筐体１の前部１ｃ内に軸方向に長い凹部１ｄが形成されて凹部１ｄ内に軸受１１と大径のスリ−ブ１２と小径のスリ−ブ１３と軸受１４で保持されて軸受１１、１４で回転軸筒３が回転自在に支持されている。
回転軸筒３の基端に一体的にピニオン３ａが形成されて駆動歯車２に噛合されている。
回転軸筒３の軸受１４より前側にスリ−ブ１５が嵌合され、回転軸筒３の前側にロ−タ４の中心軸筒４ａが回り止め嵌合されてナット１６で取り付けられている。
【００１０】
回転軸筒３の中心透孔３ｂ内には前側にスプ−ル１７が取り付けられたスプ−ル軸１８が前後往復動可能に摺動自在に挿入されている。
スプ−ル１７は前側鍔部１７ａと図示しない釣糸が巻回される釣糸巻回胴部１７ｂと円筒部１７ｃを備えた後側鍔部１７ｄとで形成されている。
スプ−ル軸１８の後端にオシレ−ト機構の摺動体５がビス１９で取り付けられている。
摺動体５の下側には、トラバ−スカム軸２０と直交する位置に透孔５ａが形成され、透孔５ａ内にトラバ−スカム軸２０の溝に係合する係合子２１が収納されてカバ−２２で覆われている。
摺動体５の下端にガイド軸２４が挿通される横溝５ｂが形成されている。
トラバ−スカム軸２０の先端には歯車２３が固定され、歯車２３はピニオン３ａに噛合されている。
トラバ−スカム軸２０は先端が筐体１の前部１ｃ内の凹部１ｅに挿入され、後側には周溝２０ａと小径部２０ｂが形成されて周溝２０ａ部分は筐体１の後部１ｆの凹部１ｇに、小径部２０ｂは筐体１の透孔１ｈに挿入される。
周溝２０ａには内径が周溝２０ａの外周に嵌まる寸法で外径が凹部１ｇの内径に嵌まる寸法の係止部材６の一側部６ａが嵌合され、小径部２０ｂの端面には係止部材６の他側面６ｂが当接されて係止部材６で小径部２０ｂの軸方向と筐体１の後部１ｆを挟み込むように当接されている。
係止部材６の一側部６ａと他側面６ｂは連結部６ｃで一体に連結されている。
【００１１】
ガイド軸２４は先端が筐体１の前部１ｃ内の凹部１ｉに挿入され、後側は筐体１の後部１ｆの透孔１ｊに挿入されて後端２４ａはカバ−部材７の内側に形成された可撓性を有する舌片状の係止部７ａに当接されている。
カバ−部材７はカップ状で筐体１の後部１ｆと図示しない蓋体の後部に嵌められ、内側に複数のボス部７ｂ、７ｃが形成されてボス部７ｂ、７ｃの中心にビス２５を挿通する透孔７ｄ、７ｅが穿設されている。
筐体１の後部１ｆにはボス部７ｂと位置が一致するボス部１ｋとネジ孔１ｍが形成され、図示しない蓋体の後部にもボス部７ｃと位置が一致するボス部が形成されている。
リ−ル本体Ａの後部にカバ−部材７が取り付けられると、カバ−部材７の内側に形成された可撓性を有する舌片状の係止部７ａでガイド軸２４の後端が押圧される。
【００１２】
魚釣用スピニングリ−ルの動作は、図示しない釣糸がスプ−ル１７に巻回される方向にハンドル１０が回転されると、駆動歯車２が回転されてピニオン３ａを介して回転軸筒３とロ−タ４が回転される。
回転軸筒３が回転されると、トラバ−スカム軸２０が回転されて摺動体５が前後往復動し、スプ−ル軸１８とスプ−ル１７が前後方向に直線往復動される。
【００１３】
前記のように魚釣用スピニングリ−ルが構成されると、ガイド軸２４の端部２４ａをリ−ル本体Ａに取り付けられるカバ−部材７の内側に一体形成された可撓性を有する係止部７ａによってリ−ル本体Ａに支持したので、ガイド軸２４をリ−ル本体Ａに固定するための専用の部材を設ける必要がなく、部品点数および組み立て工程の減少により製造コストが低減されると共に、魚釣用スピニングリ−ルが軽量化され、更に、ガイド軸２４のメンテナンス作業を容易に行うことができる。
また、ガイド軸２４の端部２４ａをカバ−部材７の内側に一体形成された可撓性を有する係止部７ａによってリ−ル本体Ａに支持したので、リ−ル本体Ａとガイド軸２４の寸法精度のバラツキによって発生するガイド軸２４の組み付けガタが抑制されてオシレ−ト機構の異音発生を防止することができる。
【実施例２】
【００１４】
図５、図６は第２実施例で、図５は魚釣用スピニングリ−ルの要部拡大断面側面図とその一部拡大断面側面図、図６はカバ−部材の（ａ）内側正面図で（ｂ）一部断面側面図である。
【００１５】
第２実施例では、ガイド軸２４の端部にカバ−部材７の内側に一体形成された可撓性を有する薄いリブ状の係止部７ｆが当接されている。
他の構成は前記第１実施例と同様であるため、それらの説明は省略する。
【実施例３】
【００１６】
図７、図８は第３実施例で、図７は魚釣用スピニングリ−ルの要部拡大断面側面図とその一部拡大断面側面図、図８はカバ−部材の（ａ）内側正面図で（ｂ）一部断面側面図である。
【００１７】
第３実施例では、ガイド軸２４の端部がカバ−部材７の内側に一体形成された可撓性を有する筒部からなる係止部７ｇの凹部７ｈ内に挿入されて押圧されている。
他の構成は前記第１実施例と同様であるため、それらの説明は省略する。
【産業上の利用可能性】
【００１８】
なお、本発明は、前述した実施形態に限定されることなく、その要旨を逸脱しない範囲で種々変形実施が可能である。
【図面の簡単な説明】
【００１９】
【図１】第１実施例で、魚釣用スピニングリ−ルの筐体を断面にした要部断面側面図である。
【図２】同図１の要部拡大断面側面図である。
【図３】同図２の要部拡大断面側面図とその一部拡大断面側面図である。
【図４】同カバ−部材の（ａ）内側正面図で（ｂ）一部断面側面図である。
【図５】第２実施例で、魚釣用スピニングリ−ルの要部拡大断面側面図とその一部拡大断面側面図である。
【図６】同カバ−部材の（ａ）内側正面図で（ｂ）一部断面側面図である。
【図７】第３実施例で、魚釣用スピニングリ−ルの要部拡大断面側面図とその一部拡大断面側面図である。
【図８】同カバ−部材の（ａ）内側正面図で（ｂ）一部断面側面図である。
【符号の説明】
【００２０】
Ａ  リ−ル本体
５  摺動体
７  カバ−部材
７ａ、７ｆ、７ｇ  係止部
１０  ハンドル
１８  スプ−ル軸
２４  ガイド軸
２４ａ  後端
【図１】
2007252324.tif 000003
【図２】
2007252324.tif 000004
【図３】
2007252324.tif 000005
【図４】
2007252324.tif 000006
【図５】
2007252324.tif 000007
【図６】
2007252324.tif 000008
【図７】
2007252324.tif 000009
【図８】
2007252324.tif 000010